(57)【特許請求の範囲】
【請求項１】
工具（３）が回転している間に当該工具（３）の複数の画像を取得する視覚システム（７）を用いることによって、工作機械の回転するスピンドルに装着された当該工具の回転速度を評価するための方法であって、
−前記スピンドル（２）の回転速度の名目上の速度値（ＶＮ）に実質的に中心合わせされた、回転速度の複数の予め選択される速度値（ＶＣ）の第１インターバル（ＩＣＮ）を規定する工程と、
−前記複数の予め選択される速度値の各々に対して、当該予め選択される速度値（ＶＣ）について算出される時に、前記スピンドル（２）の１回転の周期（ＴＲ）の倍数に等しいように、及び、前記視覚システムと調和する（compatible）ように、それぞれの画像取得周期（ＴＡ）を決定する工程と、
−前記名目上の速度値（ＶＮ）で前記スピンドル（２）を回転させ、前記視覚システム（７）の視野内において前記工具（３）を位置決めする工程と、
−前記視覚システム（７）によって、前記工具（３）の画像の複数の代表組（representative couple）であって、代表組の各々の中では前記複数の予め選択される速度値（ＶＣ）の１つに対応する前記画像取得周期（ＴＡ）で画像が相互に時間的にあけられている、という画像の複数の代表組を取得する工程と、
−全ての前記複数の予め選択される速度値の中から選択されるように、前記名目上の速度値（ＶＮ）に関連付けられるべき評価速度値（ＶＳ）を、類似則に基づいて互いに最も類似する画像の代表組が対応するような予め選択される速度値として、決定する工程と、
を備えた方法。
【請求項２】
前記類似則は、
−画像の各代表組の各画像に対して、実数のマトリクス（Ａ、Ｂ）であって、当該実数の各々が前記画像のそれぞれの画素の輝度の代表である、というマトリクス（Ａ、Ｂ）を規定する工程と、
−画像の各代表組に対して、当該画像の代表組の２つの画像に関する前記２つのマトリクス（Ａ、Ｂ）の差分（difference）として、差分マトリクス（Ｃ）を得る工程と、
−前記差分マトリクス（Ｃ）のノルム（Ｎ）のそれぞれの値を算出する工程と、
−前記ノルム（Ｎ）の最小値が対応する予め選択される速度値（ＶＣ）を、評価速度値（ＶＳ）として選択する工程と、
を有している
ことを特徴とする請求項１に記載の方法。
【請求項３】
前記視覚システム（７）によって、前記工具（３）の画像の複数の代表組を取得する工程は、
−前記視覚システム（７）によって、前記工具（３）の画像の複数の試験的な組のセットを取得する工程であって、当該セットのそれぞれにおいて、
・前記複数の試験的な組の各々の画像は、前記関連する予め選択される速度値（ＶＣ）の１つに対応する前記画像取得周期（ＴＡ）で、相互に時間的にあけられており、
・前記複数の試験的な組同士は、同一の画像取得周期（ＴＡ）の分数相当（fraction）で、相互に時間的にあけられている
という工程と、
−前記複数の試験的な組のセットのうちの１つから、前記工具（３）の画像の複数の代表組の各々を得る工程と、
を有している
ことを特徴とする請求項１または２に記載の方法。
【請求項４】
各試験的な組に、信頼指数（reliability index）が割り当てられており、
前記信頼指数は、前記試験的な組の各画像において実際に視認可能な前記工具（３）の割合（percentage）に依存している
ことを特徴とする請求項３に記載の方法。
【請求項５】
前記工具（３）の画像の前記複数の代表組の各々は、前記信頼指数に基づいて、１セットの複数の試験的な組から、１組を選択することによって、取得される
ことを特徴とする請求項４に記載の方法。
【請求項６】
前記工具（３）の画像の前記複数の代表組の各々は、複数の累積画像の代表組を規定することによって取得され、
前記複数の累積画像は、１セットの複数の試験的な組の画像の関数として、前記複数の累積画像の各々についての各試験的な組からの１つの画像として、算出される
ことを特徴とする請求項３または４に記載の方法。
【請求項７】
工作機械の回転するスピンドルに装着された工具の複数の画像を取得するための方法であって、
−名目上の速度値（ＶＮ）で前記スピンドル（２）を回転させる工程と、
−前記スピンドル（２）の回転速度の実際の速度値（ＶＥ）を決定する工程と、
−視覚システム（７）によって、前記実際の速度値（ＶＥ）の関数として算出される時間的リズムであって、取得される複数の画像が角度ステップ（β）で相互にあけられている異なる角度位置で当該工具（３）を表すような態様で、２つの連続的な取得の間で、工具（３）が１以上の完全な回転と回転の分数相当との和が所望の当該角度ステップ（β）であるように振る舞うというような時間的リズム（temporal cadence）（ＴＭ）で、前記工具（３）の複数の画像を取得する工程と、
を備え、
請求項１乃至６のいずれかに記載の方法を用いて、前記名目上の速度値（ＶＮ）に関連付けられるべき第１評価速度値（ＶＳ１）が取得される、という較正段階を有しており、
前記実際の速度値（ＶＥ）は、前記第１評価速度値（ＶＳ１）の関数として決定される
ことを特徴とする方法。
【請求項８】
前記実際の速度値（ＶＥ）は、前記第１評価速度値（ＶＳ１）に一致している
ことを特徴とする請求項７に記載の方法。
【請求項９】
前記実際の速度値（ＶＥ）は、請求項１または２に記載の方法によって得られる第２評価速度値（ＶＳ２）であって、前記名目上の速度値（ＶＮ）が前記第１評価速度値（ＶＳ１）に置換され、及び、複数の予め選択される速度値の前記第１インターバル（ＩＣＮ）が前記第１評価速度値（ＶＳ１）に実質的に中心合わせされた予め選択される速度値の第２インターバル（ＩＣＳ）に置換される、というように修正された第２評価速度値（ＶＳ２）に、一致している
ことを特徴とする請求項７に記載の方法。
【請求項１０】
複数の予め選択される速度値の前記第２インターバル（ＩＣＳ）は、予め選択される速度値の前記第１インターバル（ＩＣＮ）よりも、狭い
ことを特徴とする請求項９に記載の方法。
【請求項１１】
前記第２評価速度値（ＶＳ２）は、
前記画像取得周期（ＴＡ）の決定、前記画像の代表組の取得、及び、前記類似則の処理、を含む手順が、
−相互に隣接し、２つの末端の数値（end values）を含む、少なくとも３つの予め選択される速度値（ＶＣ）、の複数のグループで、実行され、
−前記複数のグループのうちのあるグループが、当該あるグループ内で相互に最も類似する画像の代表組が対応し、当該あるグループの前記２つの末端の数値とは異なる、ある予め選択される速度値を含んでいる、ということが見出された時に、停止される
というように修正された請求項１または２に記載の方法で取得され、
前記ある予め選択される速度値が、前記第２評価速度値（ＶＳ２）を規定する
ことを特徴とする請求項９または１０に記載の方法。
【請求項１２】
工具（３）が装着されているスピンドル（２）と、
前記スピンドル（２）の回転速度を制御するようになっている第１電子制御ユニット（４）と、
前記工具（３）が回転している間に、当該工具（３）の複数の画像を取得するための視覚システム（７）と
を備え、
前記視覚システム（７）は、前記第１制御ユニット（４）と通信するように接続されている第２電子制御ユニット（１０）を有しており、
前記第１制御ユニット（４）及び前記第２制御ユニット（１０）は、請求項１乃至６のいずれかによる工具の回転速度を評価するための方法を実行するように、構成されている
ことを特徴とする工作機械（１）。
【請求項１３】
前記第１制御ユニット（４）及び前記第２制御ユニット（１０）は、請求項７乃至１１のいずれかによる工具の複数の画像を取得するための方法を実行するように、構成されている
ことを特徴とする請求項１２に記載の工作機械。
【発明の詳細な説明】
【技術分野】
【０００１】
本発明は、工作機械の回転するスピンドルに装着された工具の回転速度を評価するための方法に関する。
【０００２】
特に、本発明は、有利に、しかし排他的でなく、影付け（shadow casting）視覚システムによって実行される工具の自動計測の工程に適用され得て、一般性を失うことなく、以下の説明で明確に言及される。
【背景技術】
【０００３】
周知であるが、数値制御工作機械は、物品を加工するための工具を保持してそれを回転させるスピンドルを有する機械的構造と、３以上の移動軸に沿ってのスピンドルの移動及び工具の回転速度を、正確に制御する電子制御ユニットと、を有している。
【０００４】
工作機械の工具は、ひとたびそれがスピンドルに装着されるならば、その実効的な寸法を決定するために、または、ある程度の作動時間の後にその摩耗量を決定するために、それがその軸周りに高速回転している時にも、計測されなければならない。この目的のために、工作機械には、それ（工具）がそれ自身の軸周りに回転している間にその寸法を含む工具の幾何学的特徴を計測することを可能にする自動計測システムが、装備されている。
【０００５】
自動計測システムは既知であり、合焦されていない光の光源と、そこから一定の距離を隔てて当該光源の前方に位置付けられる２次元イメージセンサ、例えばＣＣＤセンサと、を含む影付けの視覚システムを有している。使用時、計測される工具は、当該工具がそれ自身の軸周りに回転している間に、後者（イメージセンサ）の視野内でイメージセンサが工具の影の複数の画像を取得できるような態様で、光源とイメージセンサとの間に位置付けられなければならない。工具の幾何学的特徴は、視覚システムによって取得される画像に基づいて、計測される。
【０００６】
所望の計測を実行するために、視覚システムは、回転軸周りに回転している工具の画像を、一定の角度ステップで相互にあけられた異なる角度位置で、取得しなければならない。計測される工具の回転周期は、通常、イメージセンサのフレーム取得周期よりも大幅に短い。従って、所望される角度ステップで回転する工具の画像を取得するために、視覚システムは、工具が２つの連続的な取得の間で一定の整数の完全な回転と部分的な回転との和が所望の角度ステップであるように振る舞うように、ある取得周期に従って複数の画像を取得する。
【０００７】
所望される角度位置において実際に複数の画像を取得するために、工具の回転速度は、高精度で知られなければならない。実際、名目上または既知の速度と実際の速度との間の１００００分の１の差分でさえ、大きな取得エラー、すなわち、所望される角度位置からかけ離れた角度位置での画像の取得をもたらす。
【０００８】
今までのところ、名目上の速度値からの実際の速度値の起こり得る逸脱を解決するために、２つの方法が本質的に知られている。第１の既知の方法は、最小数の取得と比較してはるかに余剰の多数の取得を行うことである。この第１の方法は、計測サイクルを実行するために許容されるそれ（実行時間）と比較して、余りに多くの実行時間が必要とされるため、しばしば、実行可能ではない。第２の既知の方法は、常に更新されて信頼できる速度のリアルタイムデータが利用可能であるような態様で、例えば、スピンドルに配置された速度センサまたは位置センサを使用することである。この第２の方法は、それがあまりに侵襲的であると考えられているため、多くの場合で好まれない。
【発明の概要】
【０００９】
本発明の目的は、工作機械の回転するスピンドルに装着された工具の回転速度を正確に決定するための方法であって、前述の不都合が無く、同時に、容易かつ安価に実行される方法を、提供することである。
【００１０】
本発明の、工作機械の回転するスピンドルに装着された工具の回転速度を評価するための方法によれば、添付の特許請求の範囲において請求される事項に従って、工作機械の回転するスピンドルに装着された工具の複数の画像を取得するための方法及び工作機械が、提供される。
【図面の簡単な説明】
【００１１】
本発明は、今、非限定的な例によって与えられる添付の数枚の図面を参照して、説明される。
【図１】本発明により提供される方法である、工作機械のスピンドルに装着された工具の回転速度を評価するための方法、を実行する視覚システムを有する数値制御工作機械を示している。
【図２】図１の工具の非常に概略的な拡大断面図であり、本発明の方法によって評価される回転速度の関数として算出される時間的リズムに従って工具の画像を取得することが所望される角度位置の一例を、示している。
【発明を実施するための形態】
【００１２】
数値制御（「ＮＣ」）工作機械は、図１において、参照１で総称的に示されており、工具３が装着されるスピンドル２と、当該工作機械１の数値制御を具現化する第１電子制御ユニット４と、を有している。第１電子制御ユニット４は、スピンドル２の回転速度を制御すること、及び、少なくとも１つの移動軸に沿って、典型的には、それ自体既知であり、今後図示されない専用のアクチュエータを通じて、３つのデカルト軸Ｘ、Ｙ、及びＺに沿って、スピンドル２の移動を制御し得る。
【００１３】
移動軸に沿ってのスピンドル２の移動の開始及び停止は、通常、第１制御ユニット４によって、制御される。しかしながら、移動軸に沿ってのスピンドル２の移動の停止は、代替的手続きに従って、一般に「スキップインプット」と呼ばれる第１制御ユニット４の特定のインプット５を通じて、外部ユニットによっても制御され得る。第１制御ユニット４は、移動軸に沿ったスピンドル２の位置を、例えば、インプット５における信号の関数として記録するようにも、セットアップされている。第１制御ユニット４は、通信インターフェース６、例えばイーサネット（登録商標）のネットワークのポート、を更に有している。
【００１４】
工作機械１は、当該工作機械１がスピンドル２をそれ自身の回転軸２ａ周りに回転させ続けている間に、工具３の幾何学的特徴、例えば寸法、を計測するようになっている視覚システム７を、有している。より具体的には、視覚システム７は、光源８とイメージセンサ９とを有しており、後者は、光源８の前方に、一定の距離を隔てて位置付けられている。イメージセンサ９は、移動軸に沿ってのスピンドル２の移動によって、後者（工具３）が光源８とイメージセンサ９との間に位置付けられている時に、工具３の複数の画像、より具体的には、工具３の影の複数の画像、を取得するようになっている。光源８及びイメージセンサ９は、共通の支持枠７ａ上に装着されている。光源８は、合焦されていない光のビームを生成し、イメージセンサ９は、例えば、ＣＣＤデジタルセンサを有している。
【００１５】
イメージセンサ９の視野は、工具３のための計測領域を、規定している。実際、工具３は、イメージセンサ９の視野内に回転する当該工具３を位置付け、当該視野の複数の画像を取得し、取得された複数の画像から、例えば、当該工具３の寸法を算出することによって、計測される。
【００１６】
本発明によれば、視覚システム７は、第１制御ユニット４に制御内容（controls）を送信するために、及び、データを交換するために、当該第１制御ユニット４に接続された第２電子制御ユニット１０を、有している。より具体的には、第２制御ユニット１０は、第１制御ユニット４のインプット５に接続可能なアウトプット１１と、第１制御ユニット４の通信インターフェース６に接続可能な通信ポート１２と、を含んでいる。図１では、第２制御ユニット１０は、支持枠７ａ内に物理的に一体化されて示されているが、代わりに、支持枠７ａから物理的に別個であり得る。
【００１７】
第１及び第２制御ユニット４及び１０は、回転するスピンドルに装着された工具の回転速度を評価するための方法を実行するようにプログラムされており、当該方法は、本発明により提供され、以後において説明される。
【００１８】
スピンドル２の回転速度の名目上の値ＶＮ、すなわち名目上の速度値ＶＮに中心合わせされた、回転速度の複数の予め選択される値ＶＣ、すなわち複数の予め選択される速度値ＶＣ、のインターバルが、実質的に規定される。複数の予め選択される値ＶＣのそれぞれに対して、予め選択される値ＶＣについて算出される時に、スピンドル２の１回転の周期ＴＲの倍数に等しいように、及び、視覚システム７と調和するように、すなわち、イメージセンサ９の最大画像レート（つまり「フレームレート」）と調和するように、それぞれの画像取得周期ＴＡが、決定される。名目上の値ＶＮは、第１制御ユニット４で選択可能な速度である。簡易化のために、名目上の速度値ＶＮ上に中心合わせされた複数の予め選択される速度値のインターバルは、今後、時に、単に値の第１インターバルＩＣＮと呼ばれる。１００００ｒｐｍの名目上の値の場合、第１インターバルＩＣＮは、例えば、９９００ｒｐｍ乃至１０１００ｒｐｍの全ての速度値を、１ｒｐｍステップで含んでいる。
【００１９】
第１制御ユニット４の制御の際に、スピンドル２は、名目上の速度値ＶＮで回転されて、視覚システム７の視野内において位置付けられている。そのような回転の間に、視覚システム７によって、工具３の画像の複数の代表組（representative couples）が取得される。当該画像は、代表組の各々の中では、複数の予め選択される速度値ＶＣのうちの１つに対応する画像取得周期ＴＡで、画像が相互に時間的にあけられている。全ての複数の予め選択される速度値ＶＣの中から選択されるように、名目上の速度値ＶＮに関連付けられるべき評価速度値ＶＳが、類似則に基づいて相互に最も類似する画像の代表組が対応するような、予め選択される速度値ＶＣとして、決定される。すなわち、画像の各代表組について、２つの画像間の類似の程度を示す類似指数のそれぞれの値が算出され、類似則に基づいて互いに最も類似する画像の代表組が対応するその予め選択される速度値によって、評価速度値ＶＳが表わされる。
【００２０】
類似則は、例えば、次の処理を含んでいる。画像の各代表組に対して、実数の代表マトリクスＡ、Ｂが規定される。当該実数の各々は、当該画像の各画素の輝度を代表している。画像の各代表組に対して、当該画像の代表組の２つの画像に関する２つのマトリクスＡ及びＢの要素ごとの差分としての差分マトリックスＣが取得され、当該差分マトリクスＣのノルムＮの値が、算出される。評価速度値ＶＳは、全ての予め選択される速度値ＶＣの中から選択され、ノルムＮの最小値を与える画像の代表組に対応するその予め選択される速度値によって、表される。類似指数は、その後、ノルムＮによって表される。
【００２１】
画像取得周期ＴＡの、差分マトリクスＣの計算及びノルムＮの計算、並びに、評価速度値ＶＳの評価は、例えば、第２制御ユニット１０によって実行される。
【００２２】
本発明の更なる特徴によれば、第１及び第２制御ユニット４及び１０は、工具の回転速度を評価するための本方法に基づいて、以下に説明される方法で、回転するスピンドルに装着された工具の複数の画像を取得するための方法を実行するように、セットアップされている。
【００２３】
スピンドル２が、名目上の速度値ＶＮで回転されて、当該スピンドル２の実際の回転速度値ＶＥが決定される。工具３の複数の画像が、時間的リズムＴＭにおいて、視覚システム７を通じて取得される。当該時間的リズムＴＭは、実際の速度値ＶＥの関数として算出され、及び、２つの連続する取得の間で、工具３が整数の完全な回転と回転の部分との和が所望の角度ステップβであるように振る舞うようなものである。従って、取得された複数の画像は、工具３が軸２ａ周りに回転している間に、角度ステップβで相互にあけられている異なる角度位置で、当該工具３を示している。そのような方法で取得された画像は、その後、例えば、工具３の幾何学的特徴を計測するために、使用され得る。
【００２４】
図２において、工具３の軸２ａに垂直な非常に概略的な断面図の例を用いて、参照１３は、軸２ａによって規定される平面の束に属する、いくつかの平面を示している。当該いくつかの平面は、角度ステップβ（図２によれば４５°、非限定的な例と考えられる）で、相互に角度的にあけられている。それゆえ、取得された複数の画像は、複数の長手方向平面１３によって規定される複数の角度位置において、常に工具３を示している。すなわち、複数の長手方向平面１３は、工具３の複数の画像を取得するための複数のフレーム平面を、規定している。
【００２５】
本発明によれば、工具３の複数の画像を取得するための方法は、名目上の速度値ＶＮに関連する第１評価速度値ＶＳ１を前述の回転速度を評価するための方法によって提供するために、較正段階、すなわち、回転速度値を較正する予備的段階、を含んでいる。実際の速度値ＶＥは、第１評価速度値ＶＳ１の関数として、決定される。
【００２６】
例えば、実際の速度値ＶＥは、第１評価速度値ＶＳ１に一致するか、あるいは、本発明の好ましい実施の形態によれば、第２評価速度値に一致する。当該第２評価速度値は、値の第１インターバルの代わりに、今後、値の第２インターバルＩＣＳと呼ばれる、第１評価速度値ＶＳ１に実質的に中心合わせられた複数の予め選択される速度値ＶＣの第２インターバルに対して、回転速度を評価するための方法を適用することによって、得られる。換言すれば、前述の評価方法は、名目上の速度値ＶＮが第１評価速度値ＶＳ１に置換され、値の第１インターバルＩＣＮが、値の第２インターバルＩＣＳに置換される、というような方法で変形されて、適用される。
【００２７】
典型的には、値の第２インターバルＩＣＳは、値の第１インターバルＩＣＮよりも狭く、有利なことに、第２インターバルＩＣＳの複数の予め選択される値ＶＣは、第１インターバルＩＣＮのそれよりも少ない量で、相互にあけられ得る。例示的な実施の形態によれば、前述の第１インターバルＩＣＮは、１ｒｐｍで相互にあけられた約２００の予め選択される速度値ＶＣを含んでおり、第２インターバルＩＣＳは、０．５ｒｐｍで相互にあけられた約４０の予め選択される速度値を、含んでいる。
【００２８】
回転速度値の較正段階は、第１制御ユニットによってスピンドル２に割り当てられた名目上の速度値ＶＮと工具３が実際に回転する時の速度との間の誤差を、ほとんど修正することができる。実際の速度値ＶＥを決定する段階は、本発明の好ましい実施の形態においては、回転速度を評価するための方法を値の第２インターバルＩＣＳに適用することによって、異なる角度位置における工具の複数の画像を取得する段階の開始時において実行され、可能性のある速度変化を短時間で修正することを、可能にする。
【００２９】
有利なことに、本発明の可能な選択の１つによれば、第２評価速度値ＶＳ２は、計算時間を削減するために、第２インターバルＩＣＳの全ての予め選択される速度値ＶＣを解析することなく、取得され得る。より具体的には、画像取得周期ＴＡの決定、画像のそれぞれの代表組の取得、及び、類似則の処理、を含む本手順は、相互に隣接し、２つの末端の数値を含む、少なくとも３つの予め選択される速度値ＶＣのグループに対して、実行される。当該手順は、あるグループが、ある複数の予め選択される速度値ＶＣｃ、すなわち、グループ内で互いに最も類似する画像の代表組に対応し、当該グループの２つの末端の数値とは異なる、予め評価された速度値ＶＣ、を含むということが見出された時に、停止される。グループの中央の値であり得て、いずれの場合にも、当該グループの最低及び最高の予め選択される速度値のいずれでもない、ある複数の予め選択される速度値ＶＣｃは、所望の第２評価速度値ＶＳ２を、規定する。より具体的には、時間ごとに３つの値ＶＣの複数のグループに対して行われる第２インターバルＩＣＳの解析は、その３つの値の中央がノルムＮの最小値を特徴付けるような３つの値ＶＣのグループが見出された時に、停止される。
【００３０】
例えば、第２インターバルＩＣＳが２ｎ＋１の速度値を含む場合には、第２インターバルＩＣＳの速度値は、全ての自然数の列
｛−ｎ、・・・、−２、−１、０、１、２、・・・、ｎ｝
を想定する指数と共に、提供される。ここで、指数ｉ＝０は、第１評価速度値ＶＳ１に等しい中央の速度値を特定し、当該中央の値（ｉ＝０）から解析が開始する。その後、予め選択される速度値の第１のグループが、指数［−１、０、１］によって特定される。ノルムＮは、指数ｉ＝［−１、０、１］によって規定される画像の３つの代表組に対して、算出される：指数ｉ＝０に関するノルムＮの値が、他の２つの指数（グループの両端の値に対応する）についてのノルムＮの値よりも小さい場合には、指数ｉ＝０についてのノルムＮの値が最小であり、中央の速度値が所望される第２評価速度値である。そうでない場合には、指数ｉ＝［−２、−１、０］によって特定される予め選択される速度値の第２のグループに対して、解析が行われる。予め選択される速度値の第２のグループについてもなお、ノルムＮの最小値が中央の値（指数ｉ＝−１）に一致しない場合には、指数ｉ＝［０、１、２］等によって特定される予め選択される速度値の第３のグループに対して、解析が行われ、最悪の場合、第２インターバルＩＣＳの全ての値の解析まで、行われる。
【００３１】
有利なことに、回転速度の値の較正段階は、対応する複数の評価速度値ＶＳｊを得るために、複数の名目上の速度値ＶＮｊに対して行われる。前述の評価方法によって取得される対応する評価速度値ＶＳｊを各名目上の速度値ＶＮｊに関連付けることによって、名目上の速度値ＶＮｊ及び評価速度値ＶＳｊの組の表が埋められ、第２制御ユニット１０の内部の情報記憶装置内に記録され得る。当該テーブルは、−実際の速度値ＶＥを決定する段階の間−入力としての名目上の速度値ＶＮを用いることによって、第１評価速度値ＶＳ１を決定するために、用いられる。
【００３２】
例えば、工具３の画像の複数の代表組を取得する操作に関して、単純で非限定的な例によってこれまで説明及び描写された事項の変形が、可能である。スピンドル２の回転中に、工具３の無効（null）または非常に小さな割合を示し得る画像に起因する、可能性のある問題を相殺するために、工具３の画像の複数の試験的な組のセット、より具体的には、複数の予め選択される速度値ＶＣのうちの１つに対応する各画像取得周期ＴＡの複数の試験的な組のセットが、視覚システム７によって取得される。各セット内においては、異なる試験的な組は、関連する画像取得周期ＴＡの一部で、相互に時間的にあけられており、各試験的な組の画像は、当該画像取得周期ＴＡで、相互に時間的にあけられている。その後、例えば、関連する画像の試験的な組において実際に視認可能な工具３の割合に応じた信頼指数が、各試験的な組に割り当てられ得る。本発明のこの異なる実施の形態によれば、例えば、信頼指数に基づいて複数の試験的な組のうちの１つを選択することによって、あるいは、好ましくは相対的な信頼指数を考慮していわゆる累積画像の代表組を規定することによって、あるセットの複数の試験的な組の１つから、工具３の画像の複数の代表組の各々が、得られる。前記累積画像は、１セットの画像の複数の試験的な組の関数―各試験的な組からの１つの画像―、例えば加重平均、として算出され得る。
【００３３】
本発明による、回転するスピンドルに装着された工具の回転速度を評価するための方法の主な利点は、極めて迅速な処理を通じて非常に低いエラー率で、工作機械の変形または補助装置の追加の必要なく、速度値を得ることである。当該利点は、工具の幾何学的特徴を計測するために、その間にある角度ステップで相互にあけられている異なる角度位置で当該工具の複数の画像が取得されるという、回転するスピンドルに装着された工具の画像を取得するための方法において、特に有用である。
【図１】
0005981029.tif 000002
【図２】
0005981029.tif 000003